(57)【要約】【課題】  弾球遊技機の扉開放スイッチが開閉扉の開閉を誤認識することなく確実に検出し、扉開放検出の信頼性を向上させる。【解決手段】  パチンコ機ＰＭが、固定保持用の外枠１に外枠１の開放空間を覆って装着され、入賞装置を備えた遊技盤１０を着脱可能な前枠２と、前枠２の一方の側部にヒンジ機構５ａ，５ｂにより開閉可能に取り付けられたガラス扉５と、ガラス扉５が開放されているか否かを検出する扉開放スイッチ７１とを有し、扉開放スイッチ７１が前枠２前面およびガラス扉５裏面のいずれか一方におけるヒンジ機構５ａの近傍位置に配設されたリミットスイッチからなり、リミットスイッチのスイッチ部７１ａが前枠２前面およびガラス扉５裏面のいずれか他方と離間するときにスイッチ部７１ａが作動してガラス扉５の開放が検出される。【選択図】  図６
2006223700.tif 000002
【特許請求の範囲】
【請求項１】
固定保持用の外枠に前記外枠の開放空間を覆って装着され、入賞装置を備えた遊技盤を着脱可能な前枠と、前記前枠の一方の側部にヒンジ機構により開閉可能に取り付けられた開閉扉と、前記開閉扉が開放されているか否かを検出する扉開放検出手段とを有した弾球遊技機において、
前記扉開放検出手段が前記前枠前面および前記開閉扉裏面の少なくともいずれかにおける前記ヒンジ機構の近傍位置に配設され、前記前枠前面および前記開閉扉裏面が所定以上離間している状態のときに前記開閉扉が開放されていると検出することを特徴とする弾球遊技機。
【請求項２】
固定保持用の外枠に前記外枠の開放空間を覆って装着され、入賞装置を備えた遊技盤を着脱可能な前枠と、前記前枠の一方の側部にヒンジ機構により開閉可能に取り付けられた開閉扉と、前記前枠の他方の側部と前記開閉扉の他方の側部とを係合させることで前記開閉扉を前記前枠に対し閉鎖施錠することが可能な施錠装置と、前記開閉扉が開放されているか否かを検出する扉開放検出手段とを有した弾球遊技機において、
前記扉開放検出手段が前記前枠前面および前記開閉扉裏面の少なくともいずれかにおける前記施錠装置の近傍位置に配設され、前記前枠前面および前記開閉扉裏面が所定以上離間している状態のときに前記開閉扉が開放されていると検出することを特徴とする弾球遊技機。
【請求項３】
前記扉開放検出手段が、前記前枠前面および前記開閉扉裏面のいずれか一方に配設されて前記開放扉の開放状態を示す扉開放信号を出力するスイッチ手段からなり、前記開閉扉が閉鎖された状態で前記前枠前面および前記開閉扉裏面のいずれか他方により押圧当接され、
前記スイッチ手段が前記前枠前面および前記開閉扉裏面のいずれか他方と離間するときに前記スイッチ手段がスイッチ作動することにより前記扉開放信号が出力されて前記開閉扉の開放が検出されることを特徴とする請求項１もしくは２に記載の弾球遊技機。
【発明の詳細な説明】
【技術分野】
【０００１】
本発明は、入賞装置を備えた遊技盤を着脱可能な前枠と、前枠の一方の側部にヒンジ機構により開閉可能に取り付けられた開閉扉とを有して構成された弾球遊技機に関する。
【背景技術】
【０００２】
上記のような弾球遊技機は、その代表例としてパチンコ機が広く知られ、多数本の遊技釘とともに風車、固定入賞具、図柄表示装置、種々の可動入賞装置や可動装飾装置などの遊技部品が取り付けられた遊技盤が開閉搭載枠たる前枠に取り付けられ、その後方に裏セット盤と称される球処理機構盤および制御装置が取り付けられて一体のパチンコ機が形成される。
【０００３】
また、前枠の前面側は、ガラス板等を有した開閉扉が前枠の左側部に設けられたヒンジ機構により前枠の左側部に支持された状態で横開きおよび着脱が自在に取り付けられ、機器の保守・点検もしくは故障等のために遊技ホール側で開放する必要があるとき以外には、開閉扉は施錠装置により前枠の前面を覆う閉止状態に保持される。このような遊技機には、特許文献１や特許文献２にも記載されているように、開閉扉の開放状態を電気的に検出可能な扉開放スイッチが各々取り付けられており、扉開放スイッチは遊技ホール側に設置された管理用コンピュータに接続されている。このため、遊技者側によって開閉扉が不正に開放されないように常時監視できるようになっている。
【０００４】
すなわち、開閉扉が前枠に対して開放されている状態のときには、扉開放スイッチから管理用コンピュータに向けて開閉扉の開放状態を示す信号が出力され、一方、開閉扉が閉鎖されている状態のときには開閉扉の閉鎖状態を示す信号が出力されて、遊技ホール側は開閉扉の開放状態を把握することができるようになっている。上記のような扉開放スイッチは、例えば、前枠の前面に配設されオンオフ信号を出力可能ないわゆるリミットスイッチで構成され、開閉扉が閉鎖されている状態のときには開閉扉の裏面に配設されリミットスイッチに接触可能な当接部に押圧されて開閉扉の閉鎖状態を示す信号が出力され、開閉扉が開放されたときにはリミットスイッチがスイッチ作動して、開放状態を示す信号が出力されるようになっている。
【特許文献１】特開２００４−０８１６０１号公報
【特許文献２】特開２００４−０１６３００号公報
【発明の開示】
【発明が解決しようとする課題】
【０００５】
ところで、ヒンジ機構により前枠に対して開閉可能な開閉扉は、主として合成樹脂を材質としており、この合成樹脂は経年変化を起こすという性質を有しているため、経年変化により開閉扉に反り等の変形が生じて寸法が狂う可能性があった。このような開閉扉の経年変化が顕著に起きた場合には、開閉扉が前枠に対してズレた状態で閉鎖されることがあった。また、開閉扉は精度良く製造されるとは限らず、開閉扉の寸法のばらつきによっても同様に、前枠への閉鎖時における開閉扉のズレが生じていた。そして、このようなズレは扉開放スイッチの作動にも影響を及ぼし、開閉扉が閉鎖されている状態であっても上記当接部がスイッチに確実に接触するとは限らず、開閉扉が閉鎖されている状態を示す信号が正しく出力されない可能性があった。このため、開閉扉が閉鎖されている状態であるのに、遊技ホール側は開閉扉が開放されている状態にあるものと誤認識されてしまうこともあった。
【０００６】
本発明は上記課題に鑑みてなされたものであり、開閉扉の開放状態や閉鎖状態を検出する扉開放スイッチが、開閉扉の開放状態や閉鎖状態を誤認識することなく確実に検出して、検出の信頼性を向上させた弾球遊技機を提供することを目的とする。
【課題を解決するための手段】
【０００７】
上記課題を解決するために、本発明の請求項１に係る弾球遊技機は、固定保持用の外枠に外枠の開放空間を覆って装着され、入賞装置を備えた遊技盤を着脱可能な前枠と、前枠の一方の側部にヒンジ機構により開閉可能に取り付けられた開閉扉（例えば、実施形態におけるガラス扉５）と、開閉扉が開放されているか否かを検出する扉開放検出手段（例えば、実施形態における扉開放スイッチ７１）とを有し、その上で、扉開放検出手段が前枠前面および開閉扉裏面の少なくともいずれかにおけるヒンジ機構の近傍位置に配設され、前枠前面および開閉扉裏面が所定以上離間している状態のときに開閉扉が開放されていると検出する。
【０００８】
一方、上記課題を解決するために、本発明の請求項２に係る弾球遊技機は、固定保持用の外枠に外枠の開放空間を覆って装着され、入賞装置を備えた遊技盤を着脱可能な前枠と、前枠の一方の側部にヒンジ機構により開閉可能に取り付けられた開閉扉（例えば、実施形態におけるガラス扉５）と、前枠の他方の側部と開閉扉の他方の側部とを係合させることで開閉扉を前枠に対し閉鎖施錠することが可能な施錠装置と、開閉扉が開放されているか否かを検出する扉開放検出手段（例えば、実施形態における扉開放スイッチ７１）とを有し、その上で、扉開放検出手段が前枠前面および開閉扉裏面の少なくともいずれかにおける施錠装置の近傍位置に配設され、前枠前面および開閉扉裏面が所定以上離間している状態のときに開閉扉が開放されていると検出する。
【０００９】
また、上記構成の請求項１もしくは請求項２に係る弾球遊技機において、扉開放検出手段が、前枠前面および開閉扉裏面のいずれか一方に配設されて開放扉の開放状態を示す扉開放信号を出力するスイッチ手段からなり、開閉扉が閉鎖された状態で前枠前面および開閉扉裏面のいずれか他方により押圧当接され、スイッチ手段が前枠前面および開閉扉裏面のいずれか他方と離間するときにスイッチ手段がスイッチ作動することにより扉開放信号が出力されて開閉扉の開放が検出されるように構成するのが好ましい。
【発明の効果】
【００１０】
本発明に関する第１の発明によれば、開閉扉は前枠の一方の側部に開閉可能に支持され、開閉扉が開放されているか否かを検出する扉開放検出手段が、前枠の一方の側部に設けられたヒンジ機構の近傍位置に配設されている。そして、ヒンジ機構の近傍位置は開閉扉が前枠によって支持されている側であるため、開閉扉に変形が生じてその寸法に狂いが生じたとしても、もしくは、開閉扉の寸法にばらつきがあったとしても、比較的これらの影響が小さい。このため、開閉扉の変形等に影響されることなく開閉扉の閉鎖の検出（開放の検出）を誤認識なく確実に行い、扉開放の検出の信頼性を向上させることが可能である。
【００１１】
また、本発明に関する第２の発明によれば、開閉扉は前枠の一方の側部に開閉可能に支持され、開閉扉が開放されているか否かを検出する扉開放検出手段が、開閉扉を前枠に対して閉鎖施錠する施錠装置の近傍位置に配設されている。そして、施錠装置により前枠と開閉扉とを常に係合させるようにして開閉扉が閉鎖されるため、施錠装置の近傍位置は開閉扉に変形が生じて寸法に狂いが生じたとしても、もしくは、開閉扉の寸法にばらつきがあったとしても、前枠と開閉扉との係合により比較的これらの影響が小さい。このため、開閉扉の変形に影響されることなく開閉扉の閉鎖の検出（開放の検出）を誤認識なく確実に行い、扉開放の検出の信頼性を向上させることが可能である。
【００１２】
さらに、扉開放検出手段を、例えば、いわゆるリミットスイッチにようなスイッチ手段で構成すれば、従来から扉開放の検出にために一般的に使用されている検出手段により、安価に扉開放検出手段を構成することが可能である。
【発明を実施するための最良の形態】
【００１３】
以下、本発明を実施するための形態について添付図面を参照しながら説明する。本発明に係る弾球遊技機の一例として、図１〜図３の各図にパチンコ機を例示しており、まずこれらの図面を参照してパチンコ機ＰＭの全体構成について要約説明する。ここで、図１はパチンコ機ＰＭを斜め前方から視た斜視図、図２は前面のガラス扉および上球皿を横開き開放した状態の斜視図、図３はパチンコ機ＰＭの前枠を外枠に対して開放した状態を示す斜視図である。
【００１４】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより外枠１の左側部に支持された状態で、外枠１の開口前面に対し前方に横開き開閉および着脱が可能に取り付けられ、正面右側に設けられたダブル錠と称される施錠装置５０を利用して常には外枠１と係合連結された閉止状態に保持される。
【００１５】
前枠２の前面（表面）上部側には、透明アクリル板やガラス板を有したガラス扉５が左端部のヒンジ機構５ａ，５ｂにより前枠２の左側部に支持された状態で横開きおよび着脱が自在に取り付けられ、施錠装置５０により常には前枠２の前面を覆う閉止状態に保持される。ガラス扉５の背後に位置する前枠上部には、遊技盤１０を着脱自在に収容する収容枠（図示せず）が設けられており、この収容枠に立設姿勢で係止保持された遊技盤１０がガラス扉５を通して視認されるようになっている。また、前枠２の前面上部における左右には、スピーカ２１がそれぞれ配設されている。
【００１６】
遊技盤１０は、所定板厚の積層合板の表面にセルを貼り付けてルータ加工した化粧板を基板とし、円弧状のレール１１等に囲まれて略円形状の遊技領域ＰＡが形成されている。遊技領域ＰＡには、多数本の遊技釘や風車（図示せず）とともに各種入賞装置（図示せず）等の遊技構成部品が取り付けられ、下端部にアウト口１２が設けられている。
【００１７】
前枠２の前面（表面）における上記ガラス扉５の下側には、上球皿６が左端のヒンジ機構２２（図２を参照）により横開きおよび着脱可能に取り付けられ、常には右側に設けられたロック機構２３（図２を参照）によりガラス扉５の下側において前枠２の前面を覆った状態で係止保持されている。また、図２に示すように、上球皿６に前面側が覆われた前枠２の下部領域には遊技補助盤２５と称される補助機構部が形成されており、この遊技補助盤２５には、遊技盤１０の遊技領域ＰＡ内に遊技球を発射する遊技球発射装置２６等が設けられている。なお、図１に示すように、上球皿６の右端は前枠２の右端より左方（内方）の位置に位置しており、前枠２の下部領域における上球皿６の右方および下方には、ガラス扉５や上球皿６に前面側を覆われない露出部２７が形成される。
【００１８】
前枠２の前面（表面）における上球皿６の下方、すなわち露出部２７の下側には、図１に示すように、下球皿７が前方に突出して設けられている。この下球皿７は、上球皿６に貯留された遊技球（賞球）がオーバーフローしたときや、遊技者が上球皿６の球抜きレバー６ａを操作して上球皿６から遊技球を抜いたときに、前枠２側に形成された球皿通路２８を介して送られてくる遊技球を受容して貯留するようになっている。また、下球皿７の右側には、遊技球の発射操作を行う発射ハンドル８が取り付けられている。なお、上球皿６の右方、すなわちガラス扉５の右下方に位置する露出部２７の右側には、施錠装置５０の錠６０が配設されている。
【００１９】
前枠２の背面（裏面）上部には、図３に示すように、外枠１の背面側における右上部内側の形状に合わせて逆Ｌ字形に形成された第１裏セット盤４０がヒンジ機構（図示せず）により横開き開閉および着脱可能に取り付けられ、常には前枠２の背面右上部を覆う閉鎖状態に保持される。第１裏セット盤４０には、遊技球を貯留するとともに貯留した遊技球を整列させて流下させる球貯留タンク４１、入賞状態等に基づいて遊技球を払い出す球払出装置４２、球払出装置４２から払い出された遊技球を上球皿６に導く球払出通路４３等の遊技球の処理機構が設けられている。
【００２０】
前枠２の背面（裏面）下部には、前枠２の背面下部を覆う第２裏セット盤４５がヒンジ機構（図示せず）により横開き開閉および着脱可能に取り付けられ、常には前枠２の背面下部を覆う閉鎖状態に保持される。第２裏セット盤４５には、各制御装置および電子部品等に電力を供給する電源ユニット４６や、遊技球の払出作動を制御する球払出制御装置４７、パチンコ機ＰＭの作動を統括的に制御する主制御装置４８等が取り付けられており、これらが図示しないコネクタケーブルで接続されてパチンコ機ＰＭが作動可能に構成される。
【００２１】
次に、施錠装置５０について図４を追加参照しながら説明する。ここで、図４は施錠装置５０の右側面図である。施錠装置５０は、図４に示すように、前枠２の右側部背面（裏面）側に固定配設された基枠体５１と、この基枠体５１に対して上下方向へ昇降移動自在に取り付けられた第１昇降作動杆５３と、基枠体５１の立設面と第１昇降作動杆５３との間に摺動自在に挟持されて上下方向へ昇降移動自在な第２昇降作動杆６３と、基枠体５１の前面側に固定配設され、図１に示すように前枠２前面の右側部側でガラス扉５の下方に鍵穴部６１が露出配設される錠６０等から構成されている。
【００２２】
基枠体５１は、例えば薄板板金材料を打抜及びプレス成形して略Ｌ字断面の所定形状に成形され、ネジ等の図示しない固定手段で前枠２の右側部背面（裏面）側に固定配設される。
【００２３】
第１昇降作動杆５３は、基枠体５１と同様の成形加工により板状に成形され、基枠体５１に対し上下方向へ昇降移動可能に取り付けられる。第１昇降作動杆５３の上下端部には、第１フック部５５，５５が後方へ延びるように形成されており、第１昇降作動杆５３と一体に下方へ変位したときに、外枠１の右内側面に設けられた上下の第１受け具５６，５６とそれぞれ係合可能に構成されている。
【００２４】
基枠体５１と第１昇降作動杆５３とに跨って第１付勢バネ５７が配設されており、第１昇降作動杆５３を常時下方へ付勢するようになっている。このため、常には上下の第１フック部５５，５５が第１受け具５６，５６とそれぞれ係合して、外枠１に対し前枠２を閉鎖保持する施錠保持状態が維持され、第１昇降作動杆５３とともに上下の第１フック部５５，５５を上動させて第１受け具５６，５６との係合を解離させることで、前枠２を外枠１に対して開放させることができるように構成されている。
【００２５】
第２昇降作動杆６３は、基枠体５１と同様の成形加工により板状に成形され、基枠体５１の立設面と第１昇降作動杆５３との間に摺動自在に挟持されるとともに、基枠体５１の立設面と第１昇降作動杆５３との間に昇降移動自在に取り付けられる。第２昇降作動杆６３の上下には、第２フック部６５，６５が前方へ延びるように形成されており、第２昇降作動杆６３と一体に上方へ変位したときに、図４に示すように、ガラス扉５の右内側面に設けられた上下の第２受け具６６，６６とそれぞれ係合可能に構成されている。なお、上下の第２フック部６５，６５は、前枠２の右側上下に形成されたフック通過穴（図示せず）を通過して、図２に示すように、前枠２の右側部前面側に突出するようになっている。
【００２６】
基枠体５１と第２昇降作動杆６３とに跨って第２付勢バネ６７が配設されており、第２昇降作動杆６３を常時上方へ付勢するようになっている。このため、常には上下の第２フック部６５，６５が第２受け具６６，６６とそれぞれ係合して、前枠２に対しガラス扉５を閉鎖保持する施錠保持状態が維持され、第２昇降作動杆６３とともに上下の第２フック部６５，６５を下動させて第２受け具６６，６６との係合を解離させることで、ガラス扉５を前枠２に対して開放させることができるように構成されている。
【００２７】
錠６０は一般に「ダブル錠」とも呼ばれている形態の錠が使用されている。この錠６０はいわゆる解錠操作型の錠であり、解錠操作が行われていない状態において錠６０の回動軸が中立角度位置に付勢保持されている。錠６０に適合する鍵が前枠前面に露出する錠６０の鍵穴部６１（図１を参照）に嵌挿される（差し込まれる）と、錠６０の回動軸が回動可能な状態に設定され、鍵を正面視右回りまたは左回りの二方向に回動操作することが可能になる。この回動軸の軸端には、２箇所の図示しない突出端部が形成された略円板状の解錠盤６２が固定されている。
【００２８】
前枠２前面側から鍵により右回り（時計回り）に解錠操作を行ったときには、解錠盤６２が前枠２裏面側から視て左回り（反時計回り）に回動され、一方の突出端部の先端が第１昇降作動杆５３に形成された係合孔部（図示せず）と係合して第１昇降作動杆５３を上昇方向に移動させて、図３に示すように前枠２を外枠１に対して開放させることができる。
【００２９】
一方、前枠２前面側から鍵により左回り（反時計回り）に解錠操作を行ったときには、解錠盤６２が前枠裏面側から視て右回り（時計回り）に回動され、他方の突出端部の先端が第２昇降作動杆６３に形成された係合孔部（図示せず）と係合して第２昇降作動杆６３を下降方向に移動させて、図２に示すようにガラス扉５を前枠２に対して開放させることができる。
【００３０】
図１に示すように外枠１に対し前枠２を閉じると、前枠２側の第１フック部５５，５５が外枠１側の第１受け具５６，５６とそれぞれ係合して、外枠１に対し前枠２を閉鎖保持する施錠保持状態が維持される。また、図１に示すように前枠２に対しガラス扉５を閉じると、前枠２側の第２フック部６５，６５がガラス扉５側の第２受け具６６，６６とそれぞれ係合して、前枠２に対しガラス扉５を閉鎖保持する施錠保持状態が維持される。
【００３１】
ところで、図２および図５に示すように、前枠２の前面（表面）右側上下には、ボス部２９，２９がそれぞれ前方へ突出するように一体形成されている。すなわち、上下のボス部２９，２９は、施錠装置５０を構成する上下の第２フック部６５，６５の近傍に位置して形成されている。この上下のボス部２９，２９は、ガラス扉５が施錠装置５０に閉鎖施錠された状態でガラス扉５の裏面に当接可能に構成され、図５に示すように、ボス部２９がそれぞれガラス扉５に当接した状態で、ガラス扉５の裏面側と前枠２の表面（前面）側との間に所定の隙間Ｓが形成されるようになっている。
【００３２】
このように、本実施形態においては、ボス部２９がガラス扉５の裏面に当接した状態で、ガラス扉５の裏面側と前枠２の表面（前面）側との間に所定の隙間Ｓが形成されるようになっているため、常にはガラス扉５がボス部２９に当接することでガラス扉５の閉鎖揺動が止まることになる。このため、ボス部２９が第２フック部６５の近傍に設けられることで、例えば、ガラス扉５で若干変形が生じたとしても、前枠２に対してガラス扉５を閉鎖揺動させると、この隙間Ｓによりガラス扉５の一部が先に前枠２の表面側に当接することはなく、施錠装置５０の第２フック部６５と第２受け具６６とが係合した後、ガラス扉５がボス部２９に当接してガラス扉５の閉鎖揺動が止まることになる。すなわち、ボス部２９が第２フック部６５の近傍に設けられることで、前枠２に対するガラス扉５の閉鎖位置を安定させることが可能となり、閉鎖状態にあるガラス扉５のガタツキを防止することができる。
【００３３】
以上のように構成されるパチンコ機ＰＭにおいて、ガラス扉５、上球皿６、第１および第２裏セット盤４０，４５等が閉鎖保持された状態で遊技に供され、上球皿６に遊技球を貯留させて発射ハンドル８を回動操作することにより遊技が開始される。発射ハンドル８が回動操作されると、上球皿６に貯留された遊技球は、上球皿６の裏面側に位置する遊技球発射装置２６により１球ずつ遊技領域ＰＡに打ち出され、パチンコゲームが展開される。
【実施例１】
【００３４】
ここで、図６を追加参照して、本発明の第１の実施の形態について説明する。なお、図６は、前面のガラス扉を開放した状態における扉開放スイッチ周辺を示すパチンコ機の斜視図である。
【００３５】
前枠２の最上部（左側のスピーカ２１の上方）であって、ヒンジ機構５ａ近傍には、扉開放スイッチ７１が設けられている。この扉開放スイッチ７１は、前枠２の最上部が下方に切り欠かれて形成された切欠部２４に配設されている。扉開放スイッチ７１は略直方体状のスイッチ部７１ａを有してオンオフ信号を出力可能なリミットスイッチからなり、このスイッチ部７１ａはその裏側に設けられた弾性部材（図示せず）により常に前枠２の前方に付勢されている。そして、スイッチ部７１ａが前枠２の前方に張り出した位置に位置するときにはオン信号を出力し、スイッチ部７１ａが弾性部材の付勢に抗して押圧されるとスイッチ部７１ａが押し込まれてオフ信号が出力される。
【００３６】
ガラス扉５の裏面上部であってヒンジ機構５ａの近傍には、略直方体状に突出し平坦な当接面５ｄを有する当接部５ｃが形成されている。ガラス扉５が開放されている状態のときには、扉開放スイッチ７１のスイッチ部７１ａは当接部５ｃの当接面５ｄに接触せず前枠２の前方に張り出した状態にある。よって、ガラス扉５が前枠２に対して開放された状態では、扉開放スイッチ７１からオン信号が出力される。一方、ガラス扉５が前枠２に対して閉鎖された状態では、当接部５ｃの当接面５ｄがスイッチ部７１ａと対向しスイッチ部７１ａを押圧するようになっている。このため、ガラス扉５が閉鎖された状態になると、スイッチ部７１ａが押し込まれて扉開放スイッチ７１からオフ信号が出力される。
【００３７】
扉開放スイッチ７１は、前枠２の裏面に設置された図示しない外部端子板にリード線７２を介して電気的に繋がれている。さらに、この外部端子板は、パチンコ機ＰＭ外部に電気的に接続されており、パチンコ機ＰＭ外部の管理コンピュータに対して扉開放スイッチ７１からの出力信号を伝送させることができるようになっている。
【００３８】
このため、ガラス扉５が前枠２に対して開放され、扉開放スイッチ７１のスイッチ部７１ａがオン作動すると、扉開放スイッチ７１からの出力信号がパチンコ機ＰＭ外部の管理コンピュータに向けて伝送され、管理コンピュータに表示させるなどの報知を行わせることで、遊技ホール側はガラス扉５が開放状態にあることを認識することができる。一方、ガラス扉５が前枠２に対して閉鎖された状態では、扉開放スイッチ７１のスイッチ部７１ａから出力されるオフ信号が管理コンピュータに伝送され、遊技ホール側はガラス扉５が閉鎖状態にあることを認識することができる。
【実施例２】
【００３９】
次に、図７を参照して、本発明の第２の実施の形態について説明する。図７は前面のガラス扉を開放した状態における扉開放スイッチ周辺を示すパチンコ機の斜視図で、（ａ）は扉側の裏面を示し、（ｂ）は前枠側の前面を示す。本実施例におけるパチンコ機の構成は上記第１の実施の形態と同様である。このため、ここでは第１の実施の形態と相違する部分を中心に説明する。
【００４０】
前枠２の右側部（右側のスピーカ２１の下方）であって、ボス部２９近傍には、扉開放スイッチ８１が設けられている。この扉開放スイッチ８１は略直方体状のスイッチ部８１ａを有してオンオフ信号を出力可能なリミットスイッチからなり、上記スイッチ部７１ａと同様に、このスイッチ部８１ａはその裏側に設けられた弾性部材（図示ｓせず）により常に前枠２の前方に付勢されている。そして、スイッチ部８１ａが前枠２の前方に張り出した位置に位置するときにはオン信号を出力し、スイッチ部８１ａが弾性部材の付勢に抗して押圧されるとスイッチ部８１ａが押し込まれてオフ信号が出力される。
【００４１】
ガラス扉５の裏面左側部であって右側のスピーカ２１の音響グリル下方には、略直方体状に突出し平坦な当接面５ｆを有する当接部５ｅが形成されている。ガラス扉５が開放されている状態のときには、扉開放スイッチ８１のスイッチ部８１ａは当接部５ｅの当接面５ｆに接触せず前枠２の前方に張り出した状態にある。よって、ガラス扉５が前枠２に対して開放された状態では、扉開放スイッチ８１からオン信号が出力される。一方、ガラス扉５が前枠２に対して閉鎖された状態では、当接部５ｅの当接面５ｆがスイッチ部８１ａと対向しスイッチ部８１ａを押圧するようになっている。このため、ガラス扉５が閉鎖された状態になると、スイッチ部８１ａが押し込まれて扉開放スイッチ８１からオフ信号が出力される。
【００４２】
扉開放スイッチ８１は、前枠２の裏面における図示しない外部端子板にリード線８２を介して電気的に繋がれている。そして、扉開放スイッチ８１からの出力信号をこの外部端子板を介してパチンコ機ＰＭ外部の管理コンピュータに伝送させることができるようになっている。
【００４３】
このため、ガラス扉５が前枠２に対して開放され、扉開放スイッチ８１のスイッチ部８１ａがオン作動すると、扉開放スイッチ８１からの出力信号がパチンコ機ＰＭ外部の管理コンピュータに向けて伝送され、管理コンピュータに表示させるなどの報知を行わせることで、遊技ホール側はガラス扉５が開放状態にあることを認識することができる。一方、ガラス扉５が前枠２に対して閉鎖された状態では、扉開放スイッチ８１のスイッチ部８１ａから出力されるオフ信号が管理コンピュータに伝送され、遊技ホール側はガラス扉５が閉鎖状態にあることを認識することができる。
【００４４】
ここで、本発明において達成される効果をまとめると下記のようになっている。すなわち、第１の本発明においては、開閉扉は前枠の一方の側部に開閉可能に支持され、開閉扉が開放されているか否かを検出する扉開放検出手段が、前枠の一方の側部に設けられたヒンジ機構の近傍位置に配設されている。そして、ヒンジ機構の近傍位置は開閉扉が前枠によって支持されている側であるため、開閉扉に変形が生じてその寸法に狂いが生じたとしても、もしくは、開閉扉の寸法にばらつきがあったとしても、比較的これらの影響が小さい。このため、開閉扉の変形等に影響されることなく開閉扉の閉鎖の検出（開放の検出）を誤認識なく確実に行い、扉開放の検出の信頼性を向上させることが可能である。
【００４５】
また、第２の本発明においては、開閉扉は前枠の一方の側部に開閉可能に支持され、開閉扉が開放されているか否かを検出する扉開放検出手段が、開閉扉を前枠に対して閉鎖施錠する施錠装置の近傍位置に配設されている。そして、施錠装置により前枠と開閉扉とを常に係合させるようにして開閉扉が閉鎖されるため、施錠装置の近傍位置は開閉扉に変形が生じて寸法に狂いが生じたとしても、もしくは、開閉扉の寸法にばらつきがあったとしても、前枠と開閉扉との係合により比較的これらの影響が小さい。このため、開閉扉の変形に影響されることなく開閉扉の閉鎖の検出（開放の検出）を誤認識なく確実に行い、扉開放の検出の信頼性を向上させることが可能である。
【００４６】
さらに、扉開放検出手段を、例えば、いわゆるリミットスイッチにようなスイッチ手段で構成すれば、従来から扉開放の検出にために一般的に使用されている検出手段により、安価に扉開放検出手段を構成することが可能である。
【００４７】
なお、これまで本発明の好ましい実施形態について説明してきたが、本発明の範囲は上述の実施形態に限定されるものではない。例えば、上記実施例１および実施例２のいずれにおいても、前枠２の前面にスイッチ部７１ａ（８１ａ）を有する扉開放スイッチ７１（８１）が、ガラス扉５の裏面にスイッチ部７１ａ（８１ａ）に当接される当接部５ｃ（５ｅ）が設けられていたが、ガラス扉５が閉鎖された状態で上記スイッチ部７１ａ（８１ａ）と当接部５ｃ（５ｅ）とが接触するように構成すればよいから、実施例とは逆に、ガラス扉５の裏面側にスイッチ部を設け、前枠２の前面側にこのスイッチ部に当接可能な当接部を設けるように構成してもよい。
【００４８】
また、ガラス扉の開放検出手段を、上記実施例とは異なり、前枠側に設けられた前枠側検出手段およびガラス扉側に設けられた扉側検出手段で構成し、ガラス扉が開放されているか否かを非接触方式で検出するようにしてもよい。すなわち、ガラス扉が閉鎖された状態で前枠側検出手段および扉側検出手段が近接するときに双方間で通信可能に構成してガラス扉の閉鎖を検出し、前枠側検出手段および扉側検出手段が所定以上離間したときに双方間の通信を不能にして、この通信不能の状態を検出することでガラス扉の開放状態を認識できるようにしてもよい。
【図面の簡単な説明】
【００４９】
【図１】本発明に係る弾球遊技機の一例として示す、パチンコ機を斜め前方から視た斜視図である。
【図２】前面のガラス扉および上球皿を横開き開放した状態の上記パチンコ機の斜視図である。
【図３】上記パチンコ機の前枠を外枠に対して開放した状態を示す斜視図である。
【図４】施錠装置の右側面図である。
【図５】上記パチンコ機の平断面図である。
【図６】前面のガラス扉を開放した状態における扉開放スイッチ周辺を示す上記パチンコ機の斜視図である。
【図７】前面のガラス扉を開放した状態における扉開放スイッチ周辺を示す上記パチンコ機の斜視図で、（ａ）は扉側の裏面を示し、（ｂ）は前枠側の前面を示す。
【符号の説明】
【００５０】
ＰＡ  遊技領域
ＰＭ  パチンコ機（弾球遊技機）
１  外枠
２  前枠
５  ガラス扉（開閉扉）
５ａ  ヒンジ機構
５ｂ  ヒンジ機構
５ｃ，５ｅ  当接部
５ｄ，５ｆ  当接面
１０  遊技盤
５０  施錠装置
６０  錠
６５  第２フック部
６６  第２受け具
７１  扉開放スイッチ（扉開放検出手段）
７１ａ  スイッチ部（スイッチ手段）
８１  扉開放スイッチ（扉開放検出手段）
８１ａ  スイッチ部（スイッチ手段）
【図１】
2006223700.tif 000003
【図２】
2006223700.tif 000004
【図３】
2006223700.tif 000005
【図４】
2006223700.tif 000006
【図５】
2006223700.tif 000007
【図６】
2006223700.tif 000008
【図７】
2006223700.tif 000009